(57)【特許請求の範囲】
【請求項１】
送出するデータを作成するデータ作成部と、前記データを送出するデータ送出部とが、ネットワークで結ばれたデータ送出システムであって、
前記データ作成部は、
作成したデータが記録される記録再生手段と、
前記記録再生手段に記録されたデータの送出予定を示すプレイリストを作成するプレイリスト作成手段であって、データをプレイリストに加えることなく前記データ送出部に自由に使用させる時間枠をプレイリストに加える操作に基づき、前記自由に使用させる時間枠を加えたプレイリストを作成するプレイリスト作成手段と、
前記プレイリスト作成手段で作成されたプレイリストのうち前記データ送出部に転送するプレイリストを選択する選択手段と、
プレイリストの転送開始を指示する操作を行う指示手段と、
前記指示手段の操作に基づき、前記選択手段で選択されたプレイリストを前記ネットワークを介して前記データ送出部に転送するとともに、前記記録再生手段を制御して、前記選択されたプレイリストに従ってデータを再生させて前記ネットワークを介して前記データ送出部に転送させる転送手段とを備えた
データ送出システム。
【請求項２】
請求項１に記載のデータ送出システムにおいて、
複数の前記データ送出部が前記データ作成部と結ばれており、
前記選択手段は、複数の前記データ送出部の各々について、該データ送出部に転送するプレイリストを選択するものであり、
前記転送手段は、前記複数のデータ送出部の各々について、前記選択手段で選択されたプレイリストに従って前記データを前記記録再生手段から再生させ、該プレイリスト及び該データを転送する
データ送出システム。
【請求項３】
請求項１または２に記載のデータ送出システムにおいて、
前記記録再生手段は、ノンリニアアクセス可能な記録媒体を用いたものであり、
前記データ送出部は、前記データ作成部から転送されたデータが記録される、ノンリニアアクセス可能な記録媒体を用いた記録再生手段を備えた
データ送出システム。
【請求項４】
請求項１乃至３のいずれかに記載のデータ送出システムにおいて、
前記データ作成部は、前記記録再生手段に記録させるデータを圧縮する圧縮手段をさらに備えており、
前記データ送出部は、前記データ作成部から転送されたデータを伸長する伸長手段を備えた
データ送出システム。
【請求項５】
請求項１乃至４のいずれかに記載のデータ送出システムにおいて、
前記データ作成部は、編集点を指定することによって作成したデータについて編集後の編集点を定義する編集情報を作成する編集情報作成手段をさらに備えており、
前記転送手段は、選択手段で選択されたプレイリストに載っているデータについての前記編集情報をも転送する
データ送出システム。
【請求項６】
送出するデータを作成するデータ作成部と、前記データを送出するデータ送出部とをネットワークで結んだデータ送出システムにおける、前記データ作成部から前記データ送出部へのデータの配信方法において、
前記データ作成部において、作成したデータを記録再生手段に記録する第１ステップと、
前記データ作成部において、前記第１ステップで記録したデータの送出予定を示すプレイリストを作成する第２ステップであって、データをプレイリストに加えることなく前記データ送出部に自由に使用させる時間枠をプレイリストに加える操作に基づき、前記自由に使用させる時間枠を加えたプレイリストを作成する第２ステップと、
前記データ作成部において、前記第２ステップで作成したプレイリストのうち前記データ送出部に転送するプレイリストを選択する第３ステップと、
前記データ作成部において、プレイリストの転送開始を指示する操作に基づき、前記第３ステップで選択したプレイリストを前記ネットワークを介して前記データ送出部に転送するとともに、前記記録再生手段を制御して、前記選択したプレイリストに従ってデータを再生させて前記ネットワークを介して前記データ送出部に転送させる第４ステップとを有する
データ配信方法。
【請求項７】
請求項６に記載のデータ配信方法において、
複数の前記データ送出部が前記データ作成部と結ばれており、
前記第３ステップで、複数の前記データ送出部の各々について、該データ送出部に転送するプレイリストを選択し、
前記第４ステップで、前記複数のデータ送出部の各々について、前記第３ステップで選択したプレイリストに従って、前記第１ステップで記録したデータを再生し、該プレイリスト及び該データを転送する
データ配信方法。
【請求項８】
請求項６または７に記載のデータ配信方法において、
前記第１ステップで、ノンリニアアクセス可能な記録媒体を用いた記録再生手段にデータを記録し、
前記データ送出部において、前記第４ステップでデータ作成部から転送されたデータをノンリニアアクセス可能な記録媒体を用いた記録再生手段に記録するステップをさらに有する
データ配信方法。
【請求項９】
請求項６乃至８のいずれかに記載のデータ配信方法において、
前記データ作成部において、前記第１ステップで記録すべきデータを圧縮するステップと、
前記データ送出部において、前記データ作成部から転送されたデータを伸長するステップとをさらに有する
データ配信方法。
【請求項１０】
請求項６乃至９のいずれかに記載のデータ配信方法において、
前記データ作成部において、編集点を指定することによって作成したデータについて編集後の編集点を定義する編集情報を作成するステップをさらに有し、
前記第４ステップで、前記第３ステップで選択したプレイリストに載っているデータについての前記編集情報をも転送する
データ配信方法。
【発明の詳細な説明】
【０００１】
【発明の属する技術分野】
本発明は、例えば或る地域のＣＡＴＶ（ケーブルテレビジョン）の放送局で作成した素材を他の地域のＣＡＴＶの放送局に配信してその放送局から送出させるＣＡＴＶシステムに関する。
【０００２】
【従来の技術】
今日、比較的狭い範囲の地域（例えば１つの市区町村内）をサービスエリアとするＣＡＴＶの放送局が全国に設立されている。
【０００３】
各地域のＣＡＴＶの放送局からは、それぞれ独自に作成した素材（番組等）が送出されることもある。しかし、或る地域のＣＡＴＶの放送局が、作成した素材を自局から送出するだけでなく、作成した素材とその送出予定を示すプレイリストとを他の地域のＣＡＴＶの放送局に配信して、その放送局からそのプレイリストに従って素材を送出させること（すなわち、前者と後者とがそれぞれ親局と支局との関係に立つこと）も少なくない。
【０００４】
このように互いに異なる地域のＣＡＴＶの放送局が親局と支局との関係に立つ場合、親局から支局に素材を配信するためには、従来は、例えばビデオテープのような持ち運び可能な媒体に素材を送出予定の順に記録し直し、その媒体を親局から支局にまで持ち運んで届けるという方法を採っていた。
【０００５】
【発明が解決しようとする課題】
しかし、このように素材を送出予定の順に記録し直す作業や支局にまで持ち運ぶ作業には、時間や手間がかかっていた。特に、支局が複数存在する場合には、個々の支局毎にこれらの作業を行わなければならないので、非常に時間や手間がかかることになる。
【０００６】
他方、こうしたＣＡＴＶサービスとは別に、今日、公共の場所（例えば駅・空港の施設内や街頭のビルディングの壁面）に設置された大画面のディスプレイを用いて素材を送出するサービスも普及している。
【０００７】
こうした公共の場所のディスプレイを用いた送出サービスにおいても、ディスプレイの設置場所からは通常遠く離れた編集室で作成した素材をディスプレイの設置場所に配信する方法として、従来は、例えば作成した素材を、ディスプレイの設置場所に設けたストリーマで再生することのできるカセットテープに送出予定の順に記録し、そのカセットテープをディスプレイの設置場所にまで運ぶという方法を採っていた。
【０００８】
したがって、やはり素材を送出予定の順に記録し直す作業やディスプレイの設置場所にまで持ち運ぶ作業に時間や手間がかかっていた。特に、複数の場所のディスプレイを用いて共通の素材を送出する場合には、個々のディスプレイ毎にこれらの作業を行わなければならないので、非常に時間や手間がかかることになる。
【０００９】
本発明は、上述の点に鑑み、ＣＡＴＶサービスにおいて、親局で作成した素材を時間や手間をかけることなく支局に配信できるようにすることや、公共の場所のディスプレイを用いた送出サービスにおいて、編集室で作成した素材を時間や手間をかけることなくディスプレイの設置場所に配信できるようにすることを課題としてなされたものである。
【００１０】
【課題を解決するための手段】
この課題を解決するために、本出願人は、送出するデータを作成するデータ作成部と、そのデータを送出するデータ送出部とが、ネットワークで結ばれたデータ送出システムであって、データ作成部は、作成したデータが記録される記録再生手段と、記録再生手段に記録されたデータの送出予定を示すプレイリストを作成するプレイリスト作成手段であって、データをプレイリストに加えることなくデータ送出部に自由に使用させる時間枠をプレイリストに加える操作に基づき、この自由に使用させる時間枠を加えたプレイリストを作成するプレイリスト作成手段と、プレイリスト作成手段で作成されたプレイリストのうちデータ送出部に転送するプレイリストを選択する選択手段と、プレイリストの転送開始を指示する操作を行う指示手段と、指示手段の操作に基づき、選択手段で選択されたプレイリストをネットワークを介してデータ送出部に転送するとともに、記録再生手段を制御して、選択されたプレイリストに従ってデータを再生させてネットワークを介してデータ送出部に転送させる転送手段とを備えたデータ送出システムを提案する。
【００１１】
このデータ送出システムでは、データ作成部において、作成して記録再生手段に記録されたデータの送出予定を示すプレイリストがプレイリスト作成手段により作成される。このプレイリスト作成手段では、データをプレイリストに加えることなくデータ送出部に自由に使用させる時間枠をプレイリストに加える操作が行われると、この自由に使用させる時間枠を加えたプレイリストが作成される。そして、データ作成部において、作成されたプレイリストのうちデータ送出部に転送するプレイリストが選択手段により選択される。そして、データ作成部において、プレイリストの転送開始を指示する操作が指示手段により行われると、転送手段が、選択手段で選択されたプレイリストをネットワークを介してデータ送出部に転送するとともに、記録再生手段を制御して、選択されたプレイリストに従ってデータを再生させてネットワークを介してデータ送出部に転送させる。
【００１２】
このように、このデータ送出システムによれば、データ作成部内での指示手段によるプレイリストの転送開始を指示する操作に基づき、データ送出部に転送すべきプレイリストがネットワークを介してデータ作成部からデータ送出部に転送されるとともに、そのプレイリストに載っているデータがネットワークを介してデータ作成部からデータ送出部に転送される。
また、プレイリストには、データを加えることなくデータ送出部に自由に使用させる時間枠を加えることもできる。
【００１３】
これにより、持ち運び可能な媒体にデータを送出予定の順に記録し直してその媒体をデータ作成部からデータ送出部にまで持ち運ぶといったような時間や手間のかかる作業を行うことなく、データ作成部で作成したデータがデータ送出部に配信される。
また、データ送出部は、プレイリストのうち自由に使用させる時間枠内に、独自に作成したデータを送出することができる。
【００１４】
したがって、例えばＣＡＴＶサービスにこのデータ送出システムを適用すれば（すなわち、親局にデータ作成部を設け、支局をデータ送出部として両者をネットワークで結べば）、従来のようにビデオテープに素材を送出予定の順に記録し直してそのビデオテープを親局から支局にまで持ち運ぶといったような時間や手間のかかる作業を行うことなく、親局で作成した素材が支局に配信されるようになる。
また、支局は、プレイリストのうち自由に使用させる時間枠内に、独自に作成した素材を送出することができるようになる。
【００１５】
また、例えば公共の場所のディスプレイを用いた送出サービスにこのデータ送出システムを適用すれば（すなわち、編集室にこのデータ作成部を設け、ディスプレイの設置場所をデータ送出部として両者をネットワークで結べば）、従来のようにカセットテープに素材を送出予定の順に記録し直してそのカセットテープを編集室からディスプレイの設置場所にまで持ち運ぶといったような時間や手間のかかる作業を行うことなく、編集室で作成した素材がディスプレイの設置場所に配信されるようになる。
【００１６】
なお、このデータ送出システムにおいて、複数のデータ送出部をデータ作成部に結び、データ作成部の選択手段を、これらのデータ送出部の各々についてそのデータ送出部に転送するプレイリストを選択するものとして構成し、データ作成部の転送手段を、これらのデータ送出部の各々について、選択手段で選択されたプレイリストに従ってデータを記録再生手段から再生させ、このプレイリスト及びデータを転送するものとして構成することが好適である。
【００１７】
それにより、データ作成部内での指示手段による一度の指示に基づき、複数のデータ送出部に、それぞれに転送すべきプレイリストとそのプレイリストに載っているデータとが転送されるようになる。したがって、時間や手間のかかる作業を行うことなく、データ作成部で作成したデータが複数のデータ送出部に配信されるようになる。
【００１８】
また、このデータ送出システムにおいて、データ作成部で、作成したデータを、ノンリニアアクセス可能な記録媒体を用いた記録再生手段に記録するとともに、データ送出部に、データ作成部から転送されたデータが記録される、ノンリニアアクセス可能な記録媒体を用いた記録再生手段を備えることが好適である。
【００１９】
それにより、データ作成部では、プレイリストに載っているデータを迅速に記録再生手段から再生して転送できるようになる。また、データ送出部でも、迅速にプレイリストに載っている順にデータを記録再生手段から再生して送出できるようになる。
【００２０】
また、このデータ送出システムにおいて、データ作成部に、記録再生手段に記録させるデータを圧縮する圧縮手段をさらに備え、データ送出部に、データ作成部から転送されたデータを伸長する伸長手段を備えることが好適である。
【００２１】
それにより、データが圧縮された状態でネットワークを介してデータ作成部からデータ送出部に転送されるので、転送時間が短縮されるとともにネットワークの負荷が軽減されるようになる。
【００２２】
また、このデータ送出システムにおいて、データ作成部に、編集点を指定することによって作成したデータについて編集後の編集点を定義する編集情報を作成する編集情報作成手段をさらに備え、データ作成部の転送手段を、選択手段で選択されたプレイリストに載っているデータについてのこの編集情報をも転送するものとして構成することが好適である。
【００２３】
それにより、データ送出部が、転送されたデータを、この編集情報に基づいて編集して送出することができるようになる。
【００２４】
次に本出願人は、送出するデータを作成するデータ作成部と、そのデータを送出するデータ送出部とをネットワークで結んだデータ送出システムにおける、データ作成部からデータ送出部へのデータの配信方法において、データ作成部において、作成したデータを記録再生手段に記録する第１ステップと、データ作成部において、第１ステップで記録したデータの送出予定を示すプレイリストを作成する第２ステップであって、データをプレイリストに加えることなくデータ送出部に自由に使用させる時間枠をプレイリストに加える操作に基づき、自由に使用させる時間枠を加えたプレイリストを作成する第２ステップと、データ作成部において、第２ステップで作成したプレイリストのうちデータ送出部に転送するプレイリストを選択する第３ステップと、データ作成部において、プレイリストの転送開始を指示する操作に基づき、第３ステップで選択したプレイリストをネットワークを介してデータ送出部に転送するとともに、記録再生手段を制御して、選択したプレイリストに従ってデータを再生させてネットワークを介してデータ送出部に転送させる第４ステップとを有するデータ配信方法を提案する。
【００２５】
このデータ配信方法では、データ作成部において、作成して記録再生手段に記録したデータの送出予定を示すプレイリストを作成する。その際、データをプレイリストに加えることなくデータ送出部に自由に使用させる時間枠をプレイリストに加える操作が行われると、この自由に使用させる時間枠を加えたプレイリストを作成する。そして、データ作成部において、作成したプレイリストのうちデータ送出部に転送するプレイリストを選択する。そして、データ作成部において、プレイリストの転送開始を指示する操作が行われると、選択したプレイリストをネットワークを介してデータ送出部に転送するとともに、記録再生手段を制御して、選択したプレイリストに従ってデータを再生させてネットワークを介してデータ送出部に転送させる。
【００２６】
このように、このデータ配信方法によれば、データ作成部でのプレイリストの転送開始を指示する操作に基づき、データ送出部に転送すべきプレイリストがネットワークを介してデータ作成部からデータ送出部に転送されるとともに、そのプレイリストに載っているデータがネットワークを介してデータ作成部からデータ送出部に転送される。
また、プレイリストには、データを加えることなくデータ送出部に自由に使用させる時間枠を加えることもできる。
【００２７】
これにより、持ち運び可能な媒体にデータを送出予定の順に記録し直してその媒体をデータ作成部からデータ送出部にまで持ち運ぶといったような時間や手間のかかる作業を行うことなく、データ作成部で作成したデータがデータ送出部に配信される。
また、データ送出部は、プレイリストのうち自由に使用させる時間枠内に、独自に作成したデータを送出することができる。
【００２８】
したがって、例えばＣＡＴＶサービスにこのデータ配信方法を適用すれば（すなわち、親局をデータ作成部とし、支局をデータ送出部として両者をネットワークで結び、親局で第１ステップ〜第４ステップの処理を行えば）、従来のようにビデオテープに素材を送出予定の順に記録し直してそのビデオテープを親局から支局にまで持ち運ぶといったような時間や手間のかかる作業を行うことなく、親局で作成した素材が支局に配信されるようになる。
また、支局は、プレイリストのうち自由に使用させる時間枠内に、独自に作成した素材を送出することができるようになる。
【００２９】
また、例えば公共の場所のディスプレイを用いた送出サービスにこのデータ配信方法を適用すれば（すなわち、編集室をデータ作成部とし、ディスプレイの設置場所をデータ送出部として両者をネットワークで結び、編集室で第１ステップ〜第４ステップの処理を行えば）、従来のようにカセットテープに素材を送出予定の順に記録し直してそのカセットテープを編集室からディスプレイの設置場所にまで持ち運ぶといったような時間や手間のかかる作業を行うことなく、編集室で作成した素材がディスプレイの設置場所に配信されるようになる。
【００３０】
なお、このデータ配信方法において、複数のデータ送出部をデータ作成部と結び、第３ステップで、これらのデータ送出部の各々についてそのデータ送出部に転送するプレイリストを選択し、第４ステップで、これらのデータ送出部の各々について、第３ステップで選択したプレイリストに従って、第１ステップで記録したデータを再生し、このプレイリスト及びデータを転送することが好適である。
【００３１】
それにより、データ作成部内での指示手段による一度の指示に基づき、複数のデータ送出部に、それぞれに転送すべきプレイリストとそのプレイリストに載っているデータとが転送されるようになる。したがって、時間や手間のかかる作業を行うことなく、データ作成部で作成したデータが複数のデータ送出部に配信されるようになる。
【００３２】
また、このデータ配信方法において、第１ステップで、ノンリニアアクセス可能な記録媒体を用いた記録再生手段にデータを記録するとともに、データ送出部において、第４ステップでデータ作成部から転送されたデータをノンリニアアクセス可能な記録媒体を用いた記録再生手段に記録するステップをさらに有することが好適である。
【００３３】
それにより、データ作成部では、プレイリストに載っているデータを迅速に記録再生手段から再生して転送できるようになる。また、データ送出部でも、迅速にプレイリストに載っている順にデータを記録再生手段から再生して送出できるようになる。
【００３４】
また、このデータ配信方法において、データ作成部で、第１ステップで記録すべきデータを圧縮するステップと、データ送出部で、データ作成部から転送されたデータを伸長するステップとをさらに有することが好適である。
【００３５】
それにより、データが圧縮された状態でネットワークを介してデータ作成部からデータ送出部に転送されるので、転送時間が短縮されるとともにネットワークの負荷が軽減されるようになる。
【００３６】
また、このデータ配信方法において、データ作成部で、編集点を指定することによって作成したデータについて編集後の編集点を定義する編集情報を作成するステップをさらに有し、第４ステップで、第３ステップで選択したプレイリストに載っているデータについてのこの編集情報をも転送することが好適である。
【００３７】
それにより、データ送出部が、転送されたデータを、この編集情報に基づいて編集して送出することができるようになる。
【００３８】
【発明の実施の形態】
以下では、ＣＡＴＶサービスに本発明を適用した例について説明する。
図１は、本発明をＣＡＴＶサービスに適用したシステム（ネットワークＣＡＴＶシステム）の全体構成例を示す。
【００３９】
このネットワークＣＡＴＶシステムでは、素材を作成するＣＡＴＶ局（親局）１と、親局１で作成された素材を送出する複数のＣＡＴＶ局（支局）２（２−１〜２−ｎ）とが、ＡＴＭ（非同期転送モード）通信方式の広域ネットワーク３で結ばれている。親局１と各支局２とは、日本国内あるいは海外の互いに遠く離れた地域に設立されている。
【００４０】
親局１には、パーソナルコンピュータ１１と、ビデオサーバ１２と、ＶＴＲ１３と、５台のモニター１４（１４−１〜１４−５）と、ヘッドエンド１５とが設けられている。パーソナルコンピュータ１１とビデオサーバ１２とヘッドエンド１５とは、親局１内でイーサネット１６につながれている。このイーサネット１６は、ルーター１７を介して広域ネットワーク３につながれている。
【００４１】
パーソナルコンピュータ１１には、ビデオサーバ１２を制御して後述のような素材及びプレイリストの作成や支局２への素材及びプレイリストの転送を行うためのアプリケーションソフトウェアがインストールされている。
【００４２】
ビデオサーバ１２の構成は例えば図２に示す通りであり、制御部２１と、１つの入力スロット２２と、４つの出力スロット２３（２３−１〜２３−４）と、ハードディスク装置２４と、イーサネット１６（図１）への接続用のインターフェース２５とが、バス２６で結ばれている。
【００４３】
制御部２１には、パーソナルコンピュータ１１（図１）から制御信号が与えられる。制御部２１は、この制御信号に基づき、ビデオサーバ１２全体を制御するとともにＶＴＲ１３（図１）の動作を制御する。
【００４４】
入力スロット２２は、例えばＭＰＥＧ２のような符号化方式でＡＶデータ（映像及び／または音声データ）をエンコード（圧縮）するエンコーダ２７を含んでいる。各出力スロット２３−１〜２３−４は、エンコーダ２２ａと同じ符号化方式で映像データをデコード（伸長）するデコーダ２８−１〜２８−４をそれぞれ含んでいる。各スロット２２，２３は、互いに独立して動作して映像データの入力，出力を行うとともに、それぞれに割り当てられたタイムスロット内に、バス２６を介してハードディスク装置２４との間で映像データを転送する。
【００４５】
なお、ビデオサーバ１２は、入力スロットと出力スロットとを合計で５つ搭載可能になっており、したがって、入力スロット２２を外して代わりに出力スロットを搭載することや、一部の出力スロット２３を外して代わりに入力スロットを搭載することができる。
【００４６】
ハードディスク装置２４は、ＲＡＩＤ（Redundant Arrays of Inexpensive Disks ）技術を用いて構成されている。例えばＲＡＩＤ−３では、ＡＶデータが一定の長さのブロックデータに分割して複数台のハードディスクドライブに記録され  るとともに、それらのブロックデータのパリティデータが生成されて別の１台の  ハードディスクドライブに書き込まれる。そして、再生時には、これらのハード  ディスクドライブからブロックデータ及びパリティデータが再生され、いずれか  １台のハードディスクドライブからブロックデータが再生されない場合にはその  ブロックデータがパリティデータを用いて復元されて、それらのブロックデータ  が元のＡＶデータに一本化される。
【００４７】
図１のＶＴＲ１３には、素材を作成する元になるＡＶデータ（例えば取材現場でテレビジョンカメラで撮影したＡＶデータ）が収録されている。ＶＴＲ１３から再生されたＡＶデータは、ビデオサーバ１２の入力スロット２２に入力されるとともに、モニター１４−１に表示される。
【００４８】
ビデオサーバ１２の出力スロット２３−１から出力された素材は、モニター１４−２にのみ表示され、ヘッドエンド１５には送られない。他方、ビデオサーバ１２の出力スロット２３−２〜２３−４から出力された素材は、それぞれモニター１４−３〜１４−５に表示されるとともに、ヘッドエンド１５に送られる。ヘッドエンド１５からは、伝送路（ケーブル）を介して親局１のサービスエリア内のＣＡＴＶ端末（図示略）に素材が送出される。
【００４９】
また、外部の素材の供給元（図示略）から広域ネットワーク３を介して親局１に供給された素材が、ルーター１７及びイーサネット１６を介してヘッドエンド１５に直接送られて、ヘッドエンド１５から送出されるようになっている。
【００５０】
他方、各支局２には、代表的に支局２−１について示しているように、パーソナルコンピュータ３１と、ビデオサーバ３２と、４台のモニター３３−１〜３３−５と、ヘッドエンド３４とが設けられている。パーソナルコンピュータ３１とビデオサーバ３２とヘッドエンド３４とは、支局２内でイーサネット３５につながれている。このイーサネット３５は、ルーター３６を介して広域ネットワーク３につながれている。
【００５１】
パーソナルコンピュータ３１には、ビデオサーバ３２を制御するためのアプリケーションソフトウェアがインストールされている。
【００５２】
ビデオサーバ３２は、親局１のビデオサーバ１２と同一機種のビデオサーバであり、ビデオサーバ１２と同じく、１つの入力スロットと４つ出力スロットが搭載されている。
【００５３】
ビデオサーバ３２の各出力スロットから出力された素材は、それぞれモニター３３−１〜３３−４に表示されるとともに、ヘッドエンド３４に送られる。ヘッドエンド３４からは、伝送路（ケーブル）を介して当該支局２のサービスエリア内のＣＡＴＶ端末（図示略）に素材が送出される。
【００５４】
また、親局１以外の外部の素材の供給元（図示略）から広域ネットワーク３を介して支局２に供給された素材が、ルーター３６及びイーサネット３５を介してヘッドエンド３４に直接送られて、ヘッドエンド３４から送出されるようになっている。
【００５５】
次に、このネットワークＣＡＴＶシステムにおける、親局１での素材及びプレイリストの作成の様子や、親局１から各支局２への素材及びプレイリストの転送の様子を説明する。なお、以下では、ＡＶデータをエンコードして作成される素材を「クリップ」と呼ぶことにする。
【００５６】
図３は、親局１のパーソナルコンピュータ１１のディスプレイに表示されるメインメニュー画面を示す。このメインメニュー画面には、新たにクリップ（素材）を作成することを選択させるアイコン（「ＥＮＣＯＤＥ」と表示されたアイコン）Ｉ１が存在する。このアイコンＩ１をクリックすると、図４に示すようなクリップ作成用の画面が表示される。
【００５７】
この図４の画面で、上端のアイコンＩ１１をクリックすると、図５に示すような画面が表示される。この画面の上側には、作成対象のクリップの識別用のＩＤを入力するための枠Ｗ１１や、このクリップのタイトルを入力するための枠Ｗ１２や、このクリップの内容を説明する語句を入力するための枠Ｗ１３が存在する。
【００５８】
また、この画面の下側には、ＶＴＲ１３を動作させてＡＶデータを再生させるための複数のアイコンＩ２３が存在する。
【００５９】
また、この図５の画面の中央には、再生されたＡＶデータの編集点（ＩＮ点及びＯＵＴ点）をタイムコード値で指定するための複数のアイコンＩ２２や、アイコンＩ２２で指定したＩＮ点からＯＵＴ点までの時間長が表示される枠Ｗ１４が存在する。
【００６０】
また、この図５の画面の右端には、枠Ｗ１１〜Ｗ１３に入力した内容やアイコンＩ２２で指定した編集点（すなわち作成対象のクリップの情報）をエンコードリストに登録するためのアイコンＩ２４が存在する。
【００６１】
作成対象のクリップの情報をエンコードリストに登録した後、図５の画面の上端のアイコンＩ２１をクリックして図４の画面に戻り、この図４の画面の上端のアイコンＩ１２をクリックすると、この画面の枠Ｗ１に、それまでにエンコードリストに登録した作成対象のクリップが一覧表示される。
【００６２】
また、この図４の画面の右端には、ビデオサーバ１２のハードディスク装置２４の残容量が表示される枠Ｗ２や、エンコードのビットレート（圧縮率）をプルダウン方式で設定するためのアイコンＩ１５や、ビデオサーバ１２に入力される映像信号の種別（コンポジット信号かコンポーネント信号か）をプルダウン方式で設定するためのアイコンＩ１６や、ＮＴＳＣ方式の映像信号が入力される場合に実時間に対するタイムコード値の遅れをドロップフレームによって補正するか否かを選択するためのアイコンＩ１７や、画面の左側に一覧表示されている作成対象のクリップの一部または全部を消去するための複数のアイコンＩ１８や、ビデオサーバ１２のどの入力スロットでＡＶデータを入力してエンコードするかをプルダウン方式で選択する（図２の構成では、１つの入力スロット２２のみが選択可能である）ためのアイコンＩ１９や、画面の左側に一覧表示されている作成対象のクリップについてクリップの作成を開始するためのアイコンＩ２０や、クリップの作成を中止するためのアイコンＩ２１が存在する。
【００６３】
この図４の画面を表示させて操作を行うことにより、枠Ｗ１に一覧表示されている作成対象の各クリップについて、ＩＮ点からＯＵＴ点までのＡＶデータが、ＶＴＲ１３から再生され、モニター１４−１に表示されるとともにビデオサーバ１２の入力スロット２２に入力してエンコーダ２２ａでエンコードされる（すなわちクリップが作成される）。そして、そのクリップが入力スロット２２からバス２６を介してハードディスク装置２４に転送されて、ハードディスク装置２４に記憶される。
【００６４】
なお、図４の画面で上端のアイコンＩ１３をクリックすると、事前に作成対象のクリップの情報を登録しておいてその後でクリップを作成するのではなく、図６に示すような、ＶＴＲ１３を動作させて編集点を捜しながらその場でクリップを作成するための画面が表示される。
【００６５】
この図６の画面の左上側には、ＶＴＲ１３を動作させてＡＶデータを再生させるための複数のアイコンＩ３２が存在する。また、この画面の左下側には、作成するクリップの識別用のＩＤを入力するための枠Ｗ３１や、このクリップのタイトルを入力するための枠Ｗ３２や、このクリップの内容を説明する語句を入力するための枠Ｗ３３や、クリップの時間長が表示される枠Ｗ３４や、ビデオサーバ１２のハードディスク装置２４の残容量が表示される枠Ｗ３５や、ビデオサーバ１２のエンコーダ２２ａでのビットレートをプルダウン方式で設定するためのアイコンＩ３３が存在する。
【００６６】
また、この図６の画面の右上側には、ビデオサーバ１２に入力される映像信号の種別をプルダウン方式で設定するためのアイコンＩ３４や、エンコードの進行時間が目安として表示される枠Ｗ３５が存在する。
【００６７】
また、この図６の画面の右下側には、ビデオサーバ１２のどの入力スロットでＡＶデータを入力してエンコードするかをプルダウン方式で選択するためのアイコンＩ３５や、クリップの作成を開始するためのアイコンＩ３６や、クリップの作成を中止するためのアイコンＩ３７や、一定の時刻に自動的にクリップの作成を開始させたいときにその時刻を入力するための枠Ｗ３６や、枠Ｗ３６に入力した時刻に自動的にクリップの作成を開始させるためのアイコンＩ３８や、上位のコンピュータからパーソナルコンピュータ１１にクリップの作成開始を指示する信号（ＧＰＩ信号）が送られたことに基づいてクリップの作成を開始させるためのアイコンＩ３９が存在する。
【００６８】
この図６の画面を表示させて操作を行うことにより、ＶＴＲ１３を動作させて編集点を捜しながら、その場でＡＶデータがビデオサーバ１２の入力スロット２２に入力してエンコーダ２２ａでエンコードされる（すなわちクリップが作成される）。そして、そのクリップが入力スロット２２からバス２６を介してハードディスク装置２４に転送されて、ハードディスク装置２４に記憶される。
【００６９】
図６の画面の上端のアイコンＩ３１や図４の画面の上端のアイコンＩ１４をクリックすると、図３のメインメニュー画面に戻る。このメインメニュー画面には、作成済みのクリップを管理することを選択させるアイコン（「ＣＬＩＰ  ＭＡＮＡＧＥＭＥＮＴ」と表示されたアイコン）Ｉ２も存在しており、このアイコンＩ２をクリックすると、図７に示すようなクリップ管理用の画面が表示される。
【００７０】
この図７の画面には、作成済みのクリップが一覧表示されるとともにそのうちの任意の１または複数のクリップをマウスによって選択可能な枠Ｗ４１が存在する。
【００７１】
また、この図７の画面の右端には、枠Ｗ４１で選択したクリップをビデオサーバ１２のどの出力スロットから出力させてモニターで確認するかをプルダウン方式で選択する（図２の構成では、出力スロット２３−１〜２３−４のうち、出力した素材がヘッドエンド１５に送られない出力スロット２３−１のみが選択可能である）ためのアイコンＩ４４や、そのクリップをビデオサーバ１２から再生・出力させるためのアイコンＩ４５や、そのクリップの最初の一定秒（例えば一定秒）分だけをビデオサーバ１２から再生・出力させるためのアイコンＩ４６や、クリップの再生・出力を中止するためのアイコンＩ４７や、枠Ｗ４１で選択したクリップについて後述のトリミング情報を作成するためのアイコンＩ４８や、枠Ｗ４１で選択したクリップを削除するためのアイコンＩ４９や、枠Ｗ４１で選択したクリップのタイトルを変更するためのアイコンＩ５０や、枠Ｗ４１に表示されたクリップをＩＤの若い順やタイトルの頭文字順等に並べ替えるためのアイコンＩ５１や、ビデオサーバ１２のハードディスク装置２４の残容量が表示される枠Ｗ４２や、ビットレートをプルダウン方式で設定するためのアイコンＩ５２が存在する。
【００７２】
アイコンＩ４５やＩ４６をクリックすると、枠Ｗ４１で選択したクリップが、ビデオサーバ１２のハードディスク装置２４から再生されてバス２６を介して出力スロット２３−１に転送される。そして、そのクリップが、デコーダ２８−１でデコードされ、出力スロット２３−１から出力されてモニター１４−２に表示される。したがって、作成済みのクリップの内容をモニター１４−２で確認することができる。確認の結果、そのクリップが不要になった場合には、アイコンＩ４７によってそのクリップを削除することができる。
【００７３】
また、この図７の画面の上端には、作成済みのクリップについて編集後のＩＮ点やＯＵＴ点を定義する編集情報（すなわち作成済みのクリップから一部を切り出す編集を行ってその切り出した部分を送出させるための情報）であるトリム情報を作成するためのアイコンＩ４２が存在する。このアイコンＩ４２または前述の画面の右端のアイコンＩ４８をクリックすると、図８に示すようなトリム情報作成用の画面が表示される。
【００７４】
この図８の画面の左上側には、トリム情報の作成対象のクリップのＩＤが表示される枠Ｗ５１や、図７の画面のアイコンＩ４２をクリックしてこの図８の画面を表示させた場合（すなわちまだトリム情報の作成対象のクリップが選択されていない場合）にクリップを選択するために作成済みのクリップを一覧表示するウィンドウを開かせるアイコンＩ６２や、トリム情報の作成対象のクリップをビデオサーバ１２のどの出力スロットから出力させてモニターで確認するかをプルダウン方式で選択するためのアイコンＩ６３や、トリム情報の作成対象のクリップをビデオサーバ１２から再生・出力させるための複数のアイコンＩ６４が存在する。
【００７５】
また、この図８の画面の左下側には、クリップの再生速度を調整するためのアイコンＩ６５や、現在の再生状態が表示される枠Ｗ５２や、現在のタイムコード値が表示される枠Ｗ５３が存在する。
【００７６】
また、この図８の画面の右側には、作成対象のトリム情報の識別用のＩＤを入力するための枠Ｗ５４や、このトリム情報のタイトルを入力するための枠Ｗ５５や、このトリム情報の内容を説明する語句を入力するための枠Ｗ５６や、編集後の編集点（ＩＮ点及びＯＵＴ点）をタイムコード値で指定するための複数のアイコンＩ６６や、アイコンＩ６６で指定した編集後のＩＮ点からＯＵＴ点までの時間長が表示される枠Ｗ５７や、もとのＩＮ点からＯＵＴ点までの範囲に対する編集後のＩＮ点からＯＵＴ点までの範囲が表示される枠Ｗ５８が存在する。
【００７７】
また、この図８の画面の右端には、枠Ｗ５４〜Ｗ５６に入力した内容やアイコンＩ６で指定した編集後の編集点（すなわち作成したトリム情報）をパーソナルコンピュータ１１に記憶させるためのアイコンＩ６７が存在する。
【００７８】
図７のアイコンＩ４５やＩ４６によってクリップの内容をモニター１４−２で確認した結果、クリップを編集して送出する必要があった場合には、この図８の画面を表示させて操作を行うことにより、トリム情報が作成されてパーソナルコンピュータ１１に記憶される。
【００７９】
図８の画面の上端のアイコンＩ６１をクリックすると図７の画面に戻り、図７の画面の上端のアイコンＩ４３をクリックすると図３のメインメニュー画面に戻る。このメインメニュー画面には、クリップの送出予定を示すプレイリストを作成することを選択させるアイコン（「ＰＬＡＹＬＩＳＴ  ＭＡＮＡＧＥＭＥＮＴ」と表示されたアイコン）Ｉ３も存在しており、このアイコンＩ３をクリックすると、図９に示すようなプレイリスト作成用の画面が表示される。
【００８０】
この図９の画面の上端には、新たにプレイリストを作成することを選択させるアイコンＩ７１が存在しており、このアイコンＩ７１をクリックすると、図１０に示すようなキーボード入力によるプレイリスト作成用の画面が表示される。
【００８１】
この図１０の画面の左上側には、プレイリストに加えたいクリップのそのプレイリスト内での送出順序（イベント番号）をキーボードで入力するための枠Ｗ７１や、クリップの送出開始予定時刻をキーボードで入力するための枠Ｗ７２や、そのクリップのＩＤ（図５や図６のクリップ作成用画面で入力したＩＤ）をキーボードで入力するための枠Ｗ７３が存在する。
【００８２】
また、これらの枠Ｗ７１〜Ｗ７３の下側には、枠Ｗ７３にＩＤを入力されたクリップの内容を説明する語句（図５や図６のクリップ作成用画面で入力した語句）が表示される枠Ｗ７４や、そのクリップの時間長（図５や図６のクリップ作成用画面で表示された時間長）が表示される枠Ｗ７５が存在する。
【００８３】
また、この図１０の画面には、枠Ｗ７１〜Ｗ７３への入力によってプレイリストに加えられたクリップについて、送出開始予定時刻やＩＤやタイトル（図５や図６のクリップ作成用画面で入力したタイトル）等がイベント番号順に一覧表示される（すなわち作成されたプレイリストが表示される）枠Ｗ７６が存在する。
【００８４】
枠Ｗ７３にＩＤを入力せずに“．”（ピリオド）を入力したイベント番号については、各支局２に自由に使用させる時間枠（ＰＧＭ）がプレイリストに加えられて枠Ｗ７６に表示される。
【００８５】
また、この図１０の画面には、作成したプレイリストを削除するためのアイコンＩ８３や、枠Ｗ７６に表示されたプレイリストに載っているクリップを親局１や支局２のビデオサーバのどの出力スロットから出力させてＣＡＴＶ端末に送出するかをプルダウン方式で選択する（図２の構成では、親局１のビデオサーバ１２については出力スロット２３−２〜２３−４のうちのいずれかを選択可能であり、支局２のビデオサーバ３２については４つの出力スロットのうちのいずれかを選択可能である）ためのアイコンＩ８４や、そのプレイリストの識別用のＩＤを入力するための枠Ｗ７７や、そのプレイリストに載っているクリップの送出予定の日付を入力するための枠Ｗ７８が存在する。
【００８６】
また、この図１０の画面の上端には、マウス操作でプレイリストを作成することを選択させるアイコンＩ８１が存在しており、このアイコンＩ８１をクリックすると、図１１に示すような画面が表示される。
【００８７】
この図１１の画面の左側には、作成済みのクリップが一覧表示されるとともにそのうちの任意の１または複数のクリップをマウスによって選択可能な枠Ｗ８１や、枠Ｗ８１で選択したクリップをビデオサーバ１２のどの出力スロットから出力させてモニターで確認するかをプルダウン方式で選択するためのアイコンＩ９２が存在する。
【００８８】
また、この図１１の画面の中央上側には、枠Ｗ８１で選択したクリップをビデオサーバ１２から再生・出力させるためのアイコンＩ９３や、そのクリップの最初の一定秒分だけをビデオサーバ１２から再生・出力させるためのアイコンＩ９４や、クリップの再生・出力を中止するためのアイコンＩ９５や、枠Ｗ８１に表示されたクリップを並べ替えるためのアイコンＩ９６や、枠Ｗ８１に表示されたクリップの中から特定のクリップを捜すためのアイコンＩ９７が存在する。
【００８９】
アイコンＩ９３やＩ９４をクリックすると、プレイリストに加えようとして枠Ｗ８１で選択したクリップが、ビデオサーバ１２のハードディスク装置２４から再生されてバス２６を介して出力スロット２３−１に転送される。そして、そのクリップが、デコーダ２８−１でデコードされ、出力スロット２３−１から出力されてモニター１４−２に表示される。したがって、プレイリストに加えようとするクリップの内容をモニター１４−２で確認することができる。
【００９０】
また、この図１１の画面の中央下側には、枠Ｗ８１で選択したクリップをイベント番号順にプレイリストに加えるためのアイコンＩ９８や、各支局２に自由に使用させる時間枠（ＰＧＭ）をプレイリストに加えるためのアイコンＩ９９や、プレイリストに加えたクリップやＰＧＭを削除するためのアイコンＩ１００や、アイコンＩ９８〜Ｉ１００による直前の処理を取り消すためのアイコンＩ１０１が存在する。
【００９１】
また、この図１１の画面の右側には、アイコンＩ９８やＩ９９によってプレイリストに加えられたクリップやＰＧＭがイベント番号順に一覧表示される（すなわち作成されたプレイリストが表示される）枠Ｗ８２や、枠Ｗ８２に表示されるプレイリストに載っているクリップを親局１や支局２のビデオサーバのどの出力スロットから出力させてＣＡＴＶ端末に送出するかをプルダウン方式で選択するためのアイコンＩ１０２や、そのプレイリストの識別用のＩＤを入力するための枠Ｗ８３や、そのプレイリストに載っているクリップの送出予定の日付を入力するための枠Ｗ８４が存在する。
【００９２】
これらの図１０や図１１の画面を表示させて操作を行うことによりプレイリストが作成される。プレイリストを作成した後、図１０の上端の左から２番目の「Ｓａｖｅ」と表示されたアイコンをクリックすると、作成したプレイリストがパーソナルコンピュータ１１に記憶される。
【００９３】
図１１の画面の上端のアイコンＩ９１をクリックすると、図１０の画面に戻る。また、図１０の画面の上端のアイコンＩ８２をクリックすると、図９の画面に戻る。図９の画面には、作成済みのプレイリストが一覧表示されるとともにそのうちの任意の１または複数のプレイリストをマウスによって選択可能な枠Ｗ６１が存在する。
【００９４】
また、この図９の画面の右端には、枠Ｗ６１で選択したプレイリストに載っている各クリップをビデオサーバ１２のどの出力スロットから出力させてモニターで確認するかをプルダウン方式で選択するためのアイコンＩ７４や、それらのクリップをビデオサーバ１２から再生・出力させるためのアイコンＩ７５や、そのクリップの最初の一定秒分だけをビデオサーバ１２から再生・出力させるためのアイコンＩ７６や、枠Ｗ６１で選択したプレイリストを削除するためのアイコンＩ７７や、枠Ｗ６１に表示されたプレイリストをＩＤの若い順や送出日付の早い順等に並べ替えるためのアイコンＩ７８が存在する。
【００９５】
アイコンＩ７５やＩ７６をクリックすると、枠Ｗ６１で選択したプレイリストに載っている各クリップが、ハードディスク装置２４から再生されてバス２６を介して出力スロット２３−１に転送される。そして、それらのクリップが、デコーダ２８−１でデコードされ、出力スロット２３−１から出力されてモニター１４−２に表示される。したがって、作成済みのプレイリストに載っている各クリップの内容をモニター１４−２で確認することができる。確認の結果、そのプレイリストが不要になった場合には、アイコンＩ７７によってそのプレイリストを削除することができる。
【００９６】
また、この図９の画面で、枠Ｗ６１でプレイリストを選択した状態で上端のアイコンＩ７２をクリックすると、再び図１０の画面が表示されて、そのプレイリストに載っているクリップが枠Ｗ７６に一覧表示される。さらに、この状態で図１０の画面のアイコンＩ８１をクリックすると、再び図１１の画面が表示されて、図９の画面のＷ６１で選択したプレイリストに載っているクリップが枠Ｗ８２に表示される。
【００９７】
この状態で、図１０の画面の枠Ｗ７１〜Ｗ７３，Ｗ７７，Ｗ７８への入力をし直したり、図１１の画面のアイコンＩ９８〜Ｉ１００によってクリップやＰＧＭを追加または削除することにより、図９の画面の枠Ｗ６１で選択したプレイリストが変更される。プレイリストを変更した後、図１０の上端の左から２番目の「Ｓａｖｅ」と表示されたアイコンをクリックすると、変更後のプレイリストがパーソナルコンピュータ１１に記憶され直される。
【００９８】
図９の画面のアイコンＩ７５やＩ７６によってプレイリストに載っている各クリップの内容をモニター１４−２で確認した結果、プレイリストを変更する必要があった場合には、このように再び図１０や図１１の画面を表示させてプレイリストを変更することができる。
【００９９】
図９の画面の上端のアイコンＩ７３をクリックすると、図３のメインメニュー画面に戻る。このメインメニュー画面には、プレイリストを広域ネットワーク３を介して親局１から支局２−１〜２−ｎのうちの任意の支局に転送することを選択させるアイコン（「ＮＥＴＷＯＲＫ  ＤＩＳＴＲＩＢＵＴＩＯＮ」と表示されたアイコン）Ｉ４も存在しており、このアイコンＩ４をクリックすると、図１２に示すようなプレイリスト転送用の画面が表示される。
【０１００】
この図１２の画面の上端には、支局２−１〜２−ｎをプレイリストの転送先の支局として設定するためのアイコンＩ１１１が存在しており、このアイコンＩ１１１をクリックすると、図１３に示すような転送先設定用の画面が表示される。
【０１０１】
この図１３の画面には、プレイリストの転送先にしたい支局（図１の支局２−１〜２−ｎ）について、プレイリストを転送する順番と、支局の存在する地域の地名と、当該支局のパーソナルコンピュータ３１のＩＰ（インターネットプロトコル）アドレスとの情報をキーボードにより入力するとともに、これらの情報を入力済みの支局のうちの任意の１または複数の支局をマウスによって選択可能な枠Ｗ１０１が存在する。
【０１０２】
また、この図１３の画面の右端には、枠Ｗ１０１で選択した支局を新たに転送先として追加するためのアイコンＩ１２１や、枠Ｗ１０１で選択した支局について入力情報を変更するためのアイコンＩ１２２や、枠Ｗ１０１で選択した支局を転送先から削除するためのアイコンＩ１２３や、枠Ｗ１０１で選択した支局にプレイリストを転送する順番を繰り上げるためのアイコンＩ１２４や、枠Ｗ１０１で選択した支局にプレイリストを転送する順番を繰り下げるためのアイコンＩ１２５や、枠Ｗ１０１及びアイコンＩ１２１〜Ｉ１２５による設定内容を登録して図１２の画面に戻るためのアイコンＩ１２６や、アイコンＩ１２１〜Ｉ１２５による設定内容を登録しないまま図１２の画面に戻るためのアイコンＩ１２７や、枠Ｗ１０１で選択した支局が正常に広域ネットワーク３で親局１と結ばれているかをチェックするためののアイコンＩ１２８が存在する。
【０１０３】
この図１３の画面を表示させて操作を行うことにより、各支局２−１〜２−ｎがそれぞれプレイリストの転送先として設定される。
【０１０４】
図１２の画面の右上側には、プレイリストの転送先の支局（図１３の画面でプレイリストの転送先として設定した支局）をプルダウン方式で選択するためのアイコンＩ１１２が存在する。
【０１０５】
また、図１２の画面の左側には、作成済みのプレイリストが一覧表示されるとともにそのうちの任意の１または複数のプレイリストをマウスによって選択可能な枠Ｗ９１が存在する。
【０１０６】
また、この図１２の画面の中央には、枠Ｗ９１で選択したプレイリストを、アイコンＩ１１２で選択した支局への転送リストに加える（すなわち枠Ｗ９１で選択した支局への転送リストを作成する）ためのアイコンＩ１１３や、転送リストに加えたプレイリストを削除するためのアイコンＩ１１４や、アイコンＩ１１２で現在選択している支局についての転送リストを削除するためのアイコンＩ１１５や、プレイリスト転送先になっている全ての支局についての転送リストを削除するためのアイコンＩ１１６が存在する。
【０１０７】
また、この図１２の画面の右側には、アイコンＩ１１２によって転送リストに加えられたプレイリストが表示される（すなわち作成した転送リストが表示される）枠Ｗ９２が存在する。
【０１０８】
この図１２の画面を表示させて操作を行うことにより、支局２−１〜２−ｎのうちの任意の１または複数の支局について、それぞれ転送リストが作成される（すなわち転送するプレイリストが選択される）。
【０１０９】
また、この図１２の画面の右下側には、プレイリストの転送を開始するためのアイコンＩ１１７や、転送を中止するためのアイコンＩ１１８が存在する。
【０１１０】
転送リストを作成した後このアイコンＩ１１７をクリックすると、支局２−１〜２−ｎのうち転送リストが作成されている支局の各々について、図１３の画面で設定された順番で、選択されたプレイリスト（転送リストに載っているプレイリスト）と、それらのプレイリストに載っているクリップについてのトリム情報とが、親局１のパーソナルコンピュータ１１からイーサネット１６，ルーター１７，広域ネットワーク３，当該支局のルーター３６，イーサネット３５を介して当該支局のパーソナルコンピュータ３１に転送される。
【０１１１】
またそれととともに、選択されたプレイリストに従って、親局１のビデオサーバ１２のハードディスク装置２４からクリップが再生される。そして、それらのクリップが、バス２６，インターフェース２５，イーサネット１６，ルーター１７，広域ネットワーク３，当該支局のルーター３６，イーサネット３５を介して当該支局のビデオサーバ３２に転送される。
【０１１２】
そして、それらのプレイリスト及びトリム情報が当該支局のパーソナルコンピュータ３１に記憶されるとともに、それらのクリップが当該支局のビデオサーバ３２に記憶される。
【０１１３】
この転送の際の親局１と支局２との間の通信は、ＦＴＰ（ファイル転送プロトコル）を使って行われる。図１４は、この転送の際の親局１と支局２との間の通信手順の概要を示しており、最初に、親局１のパーソナルコンピュータ１１から、転送リストが作成されている支局のうち図１３の画面で設定した順番が１番である支局のパーソナルコンピュータ３１に接続要求を送る（ステップＳ１）。
【０１１４】
当該支局のパーソナルコンピュータ３１は、このステップＳ１の接続要求に対する応答を親局１のパーソナルコンピュータ１１に返送する（ステップＳ２）。これにより、親局１と当該支局との間で接続が確立される。
【０１１５】
このステップＳ２の応答があると、親局１のパーソナルコンピュータ１１は、当該支局のパーソナルコンピュータ３１に送信元を通知し（ステップＳ３）、当該支局についてのプレイリスト及びトリム情報をそのパーソナルコンピュータ３１に送信する（ステップＳ４）。そして、送信を終えると、そのパーソナルコンピュータ３１に送信の終了を通知する（ステップＳ５）。
【０１１６】
続いて、親局１のパーソナルコンピュータ１１は、当該支局についてのクリップの送信をビデオサーバ１２に命令する（ステップＳ６）。
【０１１７】
ビデオサーバ１２は、このステップＳ６の命令に基づいて、当該支局のビデオサーバ３２に送信元を通知し（ステップＳ７）、そのビデオサーバ３２にクリップを送信する（ステップＳ８）。そして、送信を終えると、そのビデオサーバ３２に送信の終了を通知する（ステップＳ９）。そのビデオサーバ３２は、このステップＳ９の通知に対する応答を、当該支局のパーソナルコンピュータ３１に送る（ステップＳ１０）。
【０１１８】
当該支局のパーソナルコンピュータ３１は、ステップＳ１０の応答があると、ステップＳ５及びＳ９の送信終了の通知に対する応答を、親局１のパーソナルコンピュータ１１に送る（ステップＳ１１）。
【０１１９】
親局１のパーソナルコンピュータ１１は、このステップＳ１１の応答があると、当該支局のパーソナルコンピュータ３１との接続を切断する（ステップＳ１２）。そして、転送リストが作成されている支局のうち図１３の画面で設定した順番が２番以降である支局の各々について、ステップＳ１〜Ｓ１２の手順を繰り返す。
【０１２０】
なお、このようにプレイリストとともにクリップを転送するのではなく、クリップだけを転送することもできるようになっている。前述の図７の画面の上端のアイコンＩ４１をクリックすると、図１５に示すように、このクリップだけの転送用の画面が表示される。
【０１２１】
この図１５の画面の上端には、支局２−１〜２−ｎをクリップだけの転送先の支局としても設定するためのアイコンＩ１３１が存在している。このアイコンＩ１３１をクリックすると、図１３に示したのと同様な転送先設定用の画面（図示略）が表示される。
【０１２２】
この図１５の画面の右上側には、クリップだけの転送先の支局（支局２−１〜２−ｎのうちクリップだけの転送先としても設定した支局）をプルダウン方式で選択するためのアイコンＩ１３２が存在する。
【０１２３】
また、この図１５の画面の左側には、作成済みのクリップが一覧表示されるとともにそのうちの任意の１または複数のクリップをマウスによって選択可能な枠Ｗ１１１や、枠Ｗ１１１に表示されたクリップを並べ替えるためのアイコンＩ１３３が存在する。
【０１２４】
また、この図１５の画面の中央には、枠Ｗ１１１で選択したクリップを、アイコンＩ１３２で選択した支局へのクリップ転送リストに加える（すなわち枠Ｗ１１１で選択した支局へのクリップ転送リストを作成する）ためのアイコンＩ１３４や、クリップ転送リストに加えたクリップを削除するためのアイコンＩ１３５や、枠Ｗ１１１で現在選択している支局についてのクリップ転送リストを削除するためのアイコンＩ１３６や、クリップだけの転送先になっている全ての支局についてのクリップ転送リストを削除するためのアイコンＩ１３７が存在する。
【０１２５】
また、この図１５の画面の右側には、アイコンＩ１３２によってクリップ転送リストに加えられたクリップが表示される（すなわち作成したクリップ転送リストが表示される）枠Ｗ１１２が存在する。
【０１２６】
この図１５の画面を表示させて操作を行うことにより、クリップだけの転送先としても設定した支局のうちの任意の１または複数の支局について、それぞれクリップ転送リストが作成される（すなわち転送するクリップが選択される）。
【０１２７】
また、この図１５の画面の右下側には、クリップの転送を開始するためのアイコンＩ１３８や、クリップの転送を中止するためのアイコンＩ１３９が存在する。
【０１２８】
クリップ転送リストを作成した後このアイコンＩ１３８をクリックすると、クリップだけの転送先としても設定した支局のうちクリップ転送リストが作成された支局の各々について、選択されたクリップが、親局１のビデオサーバ１２のハードディスク装置２４から再生され、バス２６，インターフェース２５，イーサネット１６，ルーター１７，広域ネットワーク３，当該支局のルーター３６，イーサネット３５を介して当該支局のビデオサーバ３２に転送されて、ビデオサーバ３２に記憶される。
【０１２９】
以上に説明したように、このネットワークＣＡＴＶシステムでは、親局１において、パーソナルコンピュータ１１の操作により、ＶＴＲ１３に収録されたＡＶデータから、ビデオサーバ１２でクリップが作成・記録される。また、パーソナルコンピュータ１１の操作により、クリップについてのトリム情報や、クリップの送出予定を示すプレイリストや、各支局２毎の転送リストが作成される。
【０１３０】
そして、パーソナルコンピュータ１１の一度の操作（図１２の画面のアイコンＩ１０５のクリック）により、各支局２のうち転送リストが作成されている全ての支局に、それぞれに選択されたプレイリストと、そのプレイリストに載っているクリップと、そのクリップについてのトリム情報とが広域ネットワーク３を介して転送される。
【０１３１】
したがって、従来のようにビデオテープに素材を送出予定の順に記録し直してそのビデオテープを親局１から各支局２にまで持ち運ぶといったような時間や手間のかかる作業を行うことなく、短時間且つ簡単な作業によって親局１から各支局２に素材を配信できるようになっている。
【０１３２】
また、親局１では、ノンリニアアクセス可能な記録媒体であるハードディスクを用いたビデオサーバ１２にクリップを記録しているので、プレイリストに載っているクリップを迅速にビデオサーバ１２から再生・出力して各支局２に転送できるようになっている。
【０１３３】
また、各支局２でも、親局１から転送されたクリップをやはりハードディスクを用いたビデオサーバ３２に記録しているので、迅速にプレイリストに載っている順にクリップをビデオサーバ３２から再生・出力して送出できるようになっている。
【０１３４】
また、ＡＶデータを圧縮して作成した素材であるクリップが広域ネットワーク３を介して親局１から各支局２に転送されるので、転送時間が短縮されるとともに広域ネットワーク３の負荷が軽減されるようになっている。
【０１３５】
また、トリム情報も転送されるので、各支局２では、転送されたクリップを、このトリム情報に基づいて編集して（一部を切り出して）送出できるようになっている。
【０１３６】
また、親局１でプレイリストを作成する際に、各支局２に自由に使用させる時間枠（ＰＧＭ）をプレイリストに加えることができるようになっているので、各支局２が、独自に作成した素材（ビデオサーバ３２の入力スロットで入力・エンコードしてそのハードディスク装置に記録したクリップ）をこの時間枠内に送出することができる。したがって、例えば、各地域の支局２が、親局１で作成された共通の番組を送出しながら、コマーシャルの時間にはそれぞれの地域のローカルコマーシャルを送出することができる。
【０１３７】
あるいは逆に、支局２が独自に素材を作成せずに親局１から配信された素材のみを送出する場合には、素材を作成する元になるＡＶデータを支局２のビデオサーバ３２に入力させる必要がないので、ビデオサーバ３２に入力スロットを搭載する必要がなくなる。したがって、ビデオサーバ３２に出力スロットを５つ搭載することができるので、支局２の送出能力を高めることができる。
【０１３８】
なお、以上の例ではＣＡＴＶサービスに本発明を適用しているが、別の例として、公共の場所に設置された大画面のディスプレイを用いて素材を送出するサービスにも本発明を適用してよい。
【０１３９】
図１６は、公共の場所の大画面ディスプレイを用いた送出サービスに本発明を適用したシステム（大画面ディスプレイをビルボード（広告掲示板）として用いるという意味で、ネットワークビルボードシステムと呼ぶ）の全体構成例を示しており、図１と共通する部分には同一の符号を付している。
【０１４０】
このネットワークビルボードシステムでは、センターサイト４１と複数のリモートサイト４２（４２−１〜４２−ｎ）とが、例えばＮＴＴのＩＳＤＮサービスであるＩＮＳ１５００を利用することにより、広域ネットワーク４３で結ばれている。各リモートサイト４２はそれぞれ日本国内あるいは海外の駅・空港の施設内等の大画面ディスプレイの設置場所に設けられており、センターサイト４１はそれらとは遠く離れた編集室内に設けられている。
【０１４１】
各リモートサイト４２では、ビデオサーバ３２の各出力スロットから出力された素材が、モニター３３−１〜３３−５に表示されるとともに、映像処理用のプロセッサ５１に供給され、このプロセッサ５１により例えば大画面ディスプレイ装置５２に画面分割して表示される。
【０１４２】
図１の親局１と違って、センターサイト４１からは素材は送出されないので、ビデオサーバ１２に搭載する出力スロットは、作成したクリップを出力してモニター１４−２で確認するための１つの出力スロットだけでよい。
【０１４３】
また、図１の支局２と違ってリモートサイト４２では素材が作成されることはないので、ビデオサーバ３２には入力スロットを搭載する必要がない。
【０１４４】
このネットワークビルボードシステムでも、センターサイト４１のパーソナルコンピュータ１１に図３〜図１５に示したのと同様な処理を行わせることにより、従来のようにストリーマ用のカセットテープに素材を送出予定の順に記録し直してそのビデオテープを編集室から大画面ディスプレイの設置場所にまで持ち運ぶといったような時間や手間のかかる作業を行うことなく、短時間且つ簡単な作業によって複数の場所の大画面ディスプレイに素材の配信を行うことができる。
【０１４５】
また、以上の例では、親局１やセンターサイト４１において、１台のＶＴＲ１３に収録されたＡＶデータだけをビデオサーバ１２に入力させてクリップを作成している。しかし、別の例として、ビデオサーバ１２に入力スロット２２を２つ以上搭載することにより、２台以上のＶＴＲに収録されたＡＶデータをビデオサーバ１２に入力させてクリップを作成してもよい。また、ＶＴＲに収録されたＡＶデータ以外に、ネットワークを介して親局に送られるＡＶデータをビデオサーバ１２に入力させてクリップを作成してもよい。
【０１４６】
また、本発明を適用するネットワークＣＡＴＶシステムやネットワークビルボードシステムにおいて親局１，支局２やセンターサイト４１，リモートサイト４２で用いるビデオサーバは、図２に示したのとは異なる構成のもの（例えば、合計で４以下または６以上の入出力スロットを搭載可能なものや、光ディスク装置や半導体メモリを用いてクリップの記録・再生を行うもの）であってもよい。また、ビデオサーバ以外の適宜の記録再生装置を用いてクリップを記録・再生するようにしてもよい。
【０１４７】
また、以上の例では、１つの親局１（あるいは１つのセンターサイト４１）と複数の支局２（あるいは複数のリモートサイト４２）とを広域ネットワーク３（あるいは広域ネットワーク４３）で結んでいるが、１つの親局１（あるいは１つのセンターサイト４１）と１つの支局２（あるいは１つのリモートサイト４２）とを広域ネットワーク３（あるいは広域ネットワーク４３）で結んだり、複数の親局１（あるいは複数のセンターサイト４１）と１または複数の支局２（あるいは１または複数のリモートサイト４２）とを広域ネットワーク３（あるいは広域ネットワーク４３）で結んだりしてもよい。
【０１４８】
また、本発明は、ＣＡＴＶサービスや公共の場所の大画面ディスプレイを用いた送出サービスだけでなく、例えば講師の講義内容をＶＴＲに収録し、その収録内容を元にして編集室で作成した素材を大学の講義室や公会堂等で大画面ディスプレイ装置を用いて送出する場合のように、送出するデータ（素材等）を作成する場所とそのデータを送出する場所とが離れているあらゆる場合に適用してよい。
【０１４９】
また、本発明は、以上の例に限らず、本発明の要旨を逸脱することなく、その他様々の構成をとりうることはもちろんである。
【０１５０】
【発明の効果】
以上のように、本発明によれば、送出するデータ（素材等）を作成するデータ作成部からそのデータを送出するデータ送出部へのデータの配信を、持ち運び可能な媒体にデータを送出予定の順に記録し直してその媒体をデータ作成部からデータ送出部にまで持ち運ぶといったような時間や手間のかかる作業を行うことなく、短時間且つ簡単な作業によって行えるという効果が得られる。
また、データ送出部は、プレイリストのうち自由に使用させる時間枠内に、独自に作成したデータを送出することができるという効果が得られる。
【０１５１】
したがって、例えばＣＡＴＶサービスに本発明を適用すれば、素材を作成する親局からその素材を送出する支局への素材の配信を、短時間且つ簡単な作業によって行えるようになる。
また、支局は、プレイリストのうち自由に使用させる時間枠内に、独自に作成した素材を送出することができるようになる。
【０１５２】
あるいはまた、例えば公共の場所のディスプレイを用いた送出サービスにこのデータ送出システムを適用すれば、素材を作成する編集室からその素材を送出するディスプレイへの素材の配信を、短時間且つ簡単な作業によって行えるようになる。
【０１５３】
また、本発明によれば、複数のデータ送出部へのデータの配信を、短時間且つ簡単な作業によって行えるという効果も得られる。
【０１５４】
また、本発明によれば、データ作成部では、プレイリストに載っているデータを迅速に記録再生手段から再生して転送でき、データ送出部では、迅速にプレイリストに載っている順にデータを記録再生手段から再生して送出できるという効果も得られる。
【０１５５】
また、本発明によれば、データ送出部へのデータの転送時間が短縮されるとともにネットワークの負荷が軽減されるという効果も得られる。
【０１５６】
また、本発明によれば、データ送出部が、データ作成部から転送されたデータを、データ作成部から転送された編集情報に基づいて編集して送出することができるという効果も得られる。
【図面の簡単な説明】
【図１】本発明を適用したネットワークＣＡＴＶシステムの全体構成例を示す図である。
【図２】図１のビデオサーバ１２の構成例を示す図である。
【図３】図１のパーソナルコンピュータ１１に表示されるメインメニュー画面を示す図である。
【図４】クリップ作成用の画面を示す図である。
【図５】クリップ作成用の画面を示す図である。
【図６】クリップ作成用の画面を示す図である。
【図７】クリップ管理用の画面を示す図である。
【図８】クリップ管理用の画面を示す図である。
【図９】プレイリスト作成用の画面を示す図である。
【図１０】プレイリスト作成用の画面を示す図である。
【図１１】プレイリスト作成用の画面を示す図である。
【図１２】プレイリスト転送用の画面を示す図である。
【図１３】転送先設定用の画面を示す図である。
【図１４】図１の親局１と支局２との間での通信手順の概要を示す図である。
【図１５】クリップ転送用の画面を示す図である。
【図１６】本発明を適用したネットワークビルボードシステムの全体構成例を示す図である。
【符号の説明】
１  ＣＡＴＶの親局、  ２−１〜２−ｎ  ＣＡＴＶの支局、  ３，４３  広域ネットワーク、  １１，３１  パーソナルコンピュータ、  １２，３２  ビデオサーバ、  １３  ＶＴＲ、  １４−１〜１４−５，３３−１〜３３−５  モニター、  １５，３４  ヘッドエンド、  １６，３５  イーサネット、  １７，３６ルーター、  ２１  ビデオサーバ内の制御部、  ２２  ビデオサーバ内の入力スロット、  ２３−１〜２３−４  ビデオサーバ内の出力スロット、  ２４  ビデオサーバ内のハードディスク装置、  ２５  ビデオサーバ内のインターフェース、  ２６  ビデオサーバ内のバス、  ２７  エンコーダ、  ２８−１〜２８−４  デコーダ、  ４１  センターサイト、  ４２−１〜４２−ｎ  リモートサイト、  ５１  映像処理用のプロセッサ、  ５２  大画面ディスプレイ装置
【図１】
0004356172.tif 000002
【図２】
0004356172.tif 000003
【図３】
0004356172.tif 000004
【図４】
0004356172.tif 000005
【図５】
0004356172.tif 000006
【図６】
0004356172.tif 000007
【図７】
0004356172.tif 000008
【図８】
0004356172.tif 000009
【図９】
0004356172.tif 000010
【図１０】
0004356172.tif 000011
【図１１】
0004356172.tif 000012
【図１２】
0004356172.tif 000013
【図１３】
0004356172.tif 000014
【図１４】
0004356172.tif 000015
【図１５】
0004356172.tif 000016
【図１６】
0004356172.tif 000017